【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
パネルに表側から配設され、外部から押圧して操作する操作部と、前記操作部に前記パネルの裏側から脱着可能なスイッチ部とを備え、
前記操作部の外周面に軸心方向に沿って形成された係止部と、
前記スイッチ部の外周面に沿って形成され、前記係止部に係止可能な係止受け部と、
前記係止部と前記係止受け部との係止状態を解除し、前記操作部から前記スイッチ部を分離する解除レバーと、
を設けた操作スイッチにおいて、
前記解除レバーを、前記スイッチ部の外端部から操作可能な構成としていることを特徴とする操作スイッチ。
【請求項２】
前記解除レバーは、その一端部に前記スイッチ部の外端部から突出する押圧部と、その他端部に前記押圧部と反対側に形成され、かつ、前記係止部に係合可能な解除面と、前記押圧部と前記解除面との間に配設され、かつ、前記解除レバーを前記スイッチ部に保持する弾性腕部と、からなり、
前記押圧部を押圧すると、前記解除面が前記弾性腕部を中心に回動し、前記係止部を変位させることを特徴とする請求項１に記載の操作スイッチ。
【請求項３】
前記係止部は、孔を有する連結部からなり、
前記係止受け部は、前記スイッチ部から外方に突出するリブからなり、
前記孔が前記リブの係合面に係止することで、前記操作部と前記スイッチ部とを係止する一方、前記解除面で前記連結部を押し広げることを特徴とする請求項２に記載の操作スイッチ。
【請求項４】
前記係止部が、前記操作部から内方に突出するリブからなると共に、
前記係止受け部が、孔からなり、
前記孔が前記リブの係合面に係止することで、前記操作部と前記スイッチ部とを係止する一方、前記解除面が前記リブを押し広げることを特徴とする請求項２に記載の操作スイッチ。
【請求項５】
前記解除レバーが前記係止受け部と一体に設けられ、前記スイッチ部の外形から突出する押圧部と、前記押圧部と反対側に形成され、前記係止部と係止する前記係止受け部と、前記押圧部と前記係止受け部との間に配設され、前記解除レバーを前記スイッチ部に保持する弾性腕部と、からなり、
前記押圧部を押圧すると、前記係止受け部が前記弾性腕部を中心に回動し、前記係止部から離間することを特徴とする請求項１に記載の操作スイッチ。
【請求項６】
前記押圧部が、前記スイッチ部の端面から前記スイッチ部の脱着方向に突出していることを特徴とする請求項２ないし５のいずれかに記載の操作スイッチ。
【請求項７】
前記押圧部が、前記スイッチ部の外周面から前記スイッチ部の脱着方向と直交する方向に突出していることを特徴とする請求項２ないし６のいずれかに記載の操作スイッチ。
【手続補正２】
【補正対象書類名】明細書
【補正対象項目名】全文
【補正方法】変更
【補正の内容】
【発明の詳細な説明】
【発明の名称】操作スイッチ
【技術分野】
【０００１】
本発明は操作スイッチ、特に、操作部からスイッチ部を着脱可能な操作スイッチに関する。
【背景技術】
【０００２】
従来、パネルに取り付けた操作部からスイッチ部を分離する場合、例えば、特許文献１には、スイッチ部を操作部に対して中心軸を中心として回転させることで取り外すことができる操作スイッチが記載されている。
【先行技術文献】
【特許文献】
【０００３】
【特許文献１】特開２００４−２２０８２７号公報
【０００４】
しかし、前述の操作スイッチでは、スイッチ部を操作部から分離する際、スイッチ部を回転させるために指で摘む必要がある。このため、操作スイッチがパネルに密集して取り付けられている場合には、隣り合う操作スイッチ間の間隔が狭く、作業者の指が入らないため、操作部を回転させて分離することが難しいという問題があった。
【発明の概要】
【発明が解決しようとする課題】
【０００５】
本発明は、前述の問題点に鑑みてなされたもので、操作スイッチがパネルに密集して取り付けられていても、スイッチ部を操作部から簡単に分離できる操作スイッチを提供することを課題とする。
【課題を解決するための手段】
【０００６】
前記課題を解決するため、本発明に係る操作スイッチは、
パネルに表側から配設され、外部から押圧して操作する操作部と、前記操作部に前記パネルの裏側から脱着可能なスイッチ部とを備え、
前記操作部の外周面に軸心方向に沿って形成された係止部と、
前記スイッチ部の外周面に沿って形成され、前記係止部に係止可能な係止受け部と、
前記係止部と前記係止受け部との係止状態を解除し、前記操作部から前記スイッチ部を分離する解除レバーと、
を設けた操作スイッチにおいて、
前記解除レバーを、前記スイッチ部の外端部から操作可能な構成としてある。
【発明の効果】
【０００７】
本発明によれば、操作スイッチがパネルに密集して配置されていても、スイッチ部の外端部から突出した解除レバーを操作することにより、操作部からスイッチ部を容易に分離することができる。
【０００８】
本発明の実施形態としては、前記解除レバーは、その一端部に前記スイッチ部の外端部から突出する押圧部と、その他端部に前記押圧部と反対側に形成され、かつ、前記係止部に係合可能な解除面と、前記押圧部と前記解除面との間に配設され、かつ、前記解除レバーを前記スイッチ部に保持する弾性腕部と、からなり、
前記押圧部を押圧すると、前記解除面が前記弾性腕部を中心に回動し、前記係止部を変位させてもよい。
本実施形態によれば、押圧部を押圧すると、解除面が弾性腕部を中心に回動し、係止部を変位させることにより、操作部とスイッチ部との係止状態を解除して分離することができる。
【０００９】
本発明の他の実施形態としては、前記係止部は、孔を有する連結部からなり、
前記係止受け部は、前記スイッチ部から外方に突出するリブからなり、
前記孔が前記リブの係合面に係止することで、前記操作部と前記スイッチ部とを係止する一方、前記解除面で前記連結部を押し広げるようにしてもよい。
【００１０】
本発明の異なる実施形態としては、前記係止部が、前記操作部から内方に突出するリブからなると共に、
前記係止受け部が、孔からなり、
前記孔が前記リブの係合面に係止することで、前記操作部と前記スイッチ部とを係止する一方、前記解除面が前記リブを押し広げるようにしてもよい。
【００１１】
本発明の他の実施形態としては、前記解除レバーが前記係止受け部と一体に設けられ、前記スイッチ部の外形から突出する押圧部と、前記押圧部と反対側に形成され、前記係止部と係止する前記係止受け部と、前記押圧部と前記係止受け部との間に配設され、前記解除レバーを前記スイッチ部に保持する弾性腕部と、からなり、
前記押圧部を押圧すると、前記係止受け部が前記弾性腕部を中心に回動し、前記係止部から離間するようにしてもよい。
【００１２】
本実施形態によれば、押圧部を押圧することで、より直接的に前記押圧力を係止受け部に伝達し、係止受け部が係止部から離間させることにより、確実に操作部とスイッチ部との係止を解除できる。
【００１３】
本発明の他の実施形態としては、前記押圧部が、前記スイッチ部の端面から前記スイッチ部の脱着方向に突出してもよい。
本実施形態によれば、操作スイッチを隣り合うように密集に配置しても、スイッチ部の脱着方向に空間があれば、解除レバーの押圧部を容易に押圧でき、操作部からスイッチ部を確実に分離できる。
【００１４】
前記押圧部が、前記スイッチ部の外周面から前記スイッチ部の脱着方向と直交する方向に突出していてもよい。
本実施形態によれば、操作スイッチを密集して配置しても、スイッチ部の脱着方向と直交する方向に空間があれば、解除レバーの押圧部を容易に押圧でき、操作部からスイッチ部を確実に分離できる。
【図面の簡単な説明】
【００１５】
【図１】（Ａ）は本発明の第１実施形態に係る操作スイッチを上方から見た斜視図、（Ｂ）は（Ａ）を下方から見た斜視図。
【図２】図１の操作スイッチを操作部とスイッチ部とに分離した状態の分解斜視図。
【図３】図２の操作部の分解斜視図。
【図４】図２のスイッチ部を上方から見た分解斜視図。
【図５】図２のスイッチ部を下方から見た分解斜視図。
【図６】（Ａ）は操作部とスイッチ部を分離した状態の断面図、（Ｂ）は操作部にスイッチ部を装着した状態の断面図。
【図７】（Ａ）はパネルに操作スイッチを固定した状態を前方から視た斜視図、（Ｂ）は（Ａ）の後方から視た斜視図。
【図８】（Ａ）は第１実施形態の第１変形例に係る断面図、（Ｂ）は第１実施形態の第２変形例に係る断面図。
【図９】（Ａ）は本発明の第２実施形態に係る操作スイッチを上方から見た斜視図、（Ｂ）は（Ａ）を下方から見た斜視図。
【図１０】図９の操作スイッチを操作部とスイッチ部とに分離した状態の分解斜視図。
【図１１】図１０の操作部の分解斜視図。
【図１２】図１０のスイッチ部の分解斜視図。
【図１３】（Ａ）は操作部とスイッチ部とを分離した状態の断面図、（Ｂ）は操作部にスイッチ部を装着した状態の断面図。
【図１４】第２実施形態の変形例に係る断面図。
【発明を実施するための形態】
【００１６】
本発明に係る操作スイッチ１０の実施形態を図１ないし図１４に従って説明する。
第１実施形態に係る操作スイッチ１０は、図１および図２に示すように、ユーザが外部から押圧して操作する操作部１１と、前記操作に応じてオンまたはオフされる内蔵スイッチ８１（図４参照）を有するスイッチ部６０とで構成されている。
【００１７】
図３に示すように、操作部１１は、ユーザの押圧力により上下動する可動部１２と、可動部１２を内側に装着するねじ取付部４０と、ねじ取付部４０を後述するパネル１５などに締め付けるリング取付部５０とを有する。
【００１８】
可動部１２は、円筒形のプランジャ操作部２０と、プランジャ操作部２０の上端開口を被覆する円形のキャップ２８と、プランジャ操作部２０とキャップ２８との間に介在する円形の拡散板２９と、からなる。プランジャ操作部２０の上端縁部２１には、径方向外方に突出する一対のキャップ用舌片２２と、下方に切欠かれた一対の拡散板用切欠き部２３とが形成されている。また、上端縁部２１の下方には環状突起２４が周方向に延在している。プランジャ操作部２０の下端には、径方向外方に突出する一対の爪部２５と、下方に突出する操作用リブ２６とが設けられている。前記キャップ２８の側面には、キャップ用舌片２２と係合する長孔２８ａが形成されている。拡散板２９の外周縁部には、プランジャ操作部２０の拡散板用切欠き部２３に係止する係止用リブ２９ａが形成されている。
【００１９】
前記可動部１２は、復帰コイルバネ３１とフランジ３２とを介してねじ取付部４０に取り付けられる。前記復帰コイルバネ３１の上端は、プランジャ操作部２０の環状突起２４と当接する。前記フランジ３２は円筒形であり、大径の上方フランジ３３と、小径の下方フランジ３４と、からなる。上方フランジ３３の側壁外周面には、鉛直方向に延在する上側溝３６が形成されている。下方フランジ３４の側壁外周面には、鉛直方向に延在する下側溝３７と、径方向外方に突出する係止用突起３８とが形成されている。
【００２０】
ねじ取付部４０は円筒形であり、その外周には上方から順に、矩形孔４１と雄ねじ４３と連結部４６とが形成されている。矩形孔４１は係止用突起３８と係合し、雄ねじ４３はリング取付部５０と螺合する。雄ねじ４３の一部には、鉛直方向に延在する平面部４４が形成されている。連結部４６は下方に向かって延在する一対の板状であり、スイッチ部６０と連結する連結孔４７が形成されている。また、連結部４６の先端には、端部に向かって薄くなる連結用傾斜面４８が形成されている。
【００２１】
ねじ取付部４０の内周面には、径方向内方に向かって突出する環状リブ４５が形成されており、この環状リブ４５には抜け止め用切欠き部４５ａが設けられている。環状リブ４５の上面には、復帰コイルバネ３１の下端が当接する。抜け止め用切欠き部４５ａがプランジャ操作部２０の爪部２５と係合することで、ねじ取付部４０からプランジャ操作部２０を抜け止めする。
【００２２】
リング取付部５０は円筒形で、その内周面には、ねじ取付部４０の雄ねじ４３と螺合する雌ねじ５１が刻設されている。雌ねじ５１は、リング取付部５０が回り止め金具５５を介してフランジ３２の上端縁部３９に近づくように、雄ねじ４３に螺合する。回り止め金具５５は略円形にくりぬかれた矩形板である。回り止め金具５５の内周面には、径方向内方に向かって突出する一対の係止用舌片５６が設けられている。
【００２３】
スイッチ部６０は、図４および図５に示すように、操作部１１と連結するスイッチカバー６１と、スイッチカバー６１の底部開口を被覆するカバー本体７２とを備えている。
【００２４】
スイッチカバー６１の内部には、操作部１１の動作に連動してオンまたはオフされる内蔵スイッチ８１と、外部端子（図示せず）に接続するコネクタ８５と、内蔵スイッチ８１とコネクタ８５とを接続する基板８８と、が配設されている。内蔵スイッチ８１は、前記プランジャ操作部２０の操作用リブ２６に操作される連動金具８２と、連動金具８２と反対面から突出する固定接点端子８３とを有する。コネクタ８５は、外部端子（図示せず）と接続する端子接続部８６と、端子接続部８６と反対側に突出する複数本のコネクタ端子８７とを有する。基板８８は、上方に向かって発光するＬＥＤ８９が接続された略Ｈ形状の板である。内蔵スイッチ８１の固定接点端子８３は、基板８８上に一列に配設された接続孔９０に上方から接続する一方、コネクタ８５のコネクタ端子８７は、基板８８の前記接続孔９０と反対側に一列に配設された貫通孔９１に下方から接続する。
【００２５】
スイッチカバー６１は、図５に示すように、内蔵スイッチ８１を収容する箱形のスイッチ本体６２と、スイッチ本体６２の側面から外方に突出し、コネクタ８５を収容するコネクタ収容部６３とからなる。スイッチ本体６２の対向する両側面には鉛直方向に延在する案内溝６４が形成されている。前記案内溝６４の上方には、ねじ取付部４０の連結孔４７と係合する連結用リブ６５が設けられている。この連結用リブ６５の上側には案内用傾斜面６６が形成されており、下端には案内溝６４から直角に立ち上がる係合面６７が形成されている。スイッチカバー６１の側面下側には、案内溝６４を間に一対のカバー取付け孔６８が形成されている。また、スイッチカバー６１には、内部にＬＥＤ８９を収容する円筒形のＬＥＤ収容部６９が上方に突設している。
【００２６】
平面視が略Ｈ字形状であるカバー本体７２は、図４に示すように、カバー本体７２の凹部底面に弾性腕部７３を介して一体成形された解除レバー７４を有している。この解除レバー７４の上端には、先端に向かって薄くなるように傾斜する解除面７６が形成されており、その下端には外方に突出する押圧部７７が形成されている。また、解除面７６と押圧部７７との間に、カバー本体７２の底面に向かって湾曲する弾性腕部７３が設けられている。解除レバー７４の上端はカバー本体７２の周壁７５よりも上方に延び、押圧部７７はカバー本体７２の底面から下方に突き出ている。対向する周壁７５には解除レバー７４を間に一対の係止突起７９が形成されている。この係止突起７９はカバー取付け孔６８に係止する。
【００２７】
次に、前述の構成部材からなる操作スイッチ１０の組立方法について説明する。
まず、操作部１１を組み立てるため、図３に示すように、拡散板２９の係止用リブ２９ａをプランジャ操作部２０の拡散板用切欠き部２３に係合する。そして、キャップ２８の長孔２８ａをプランジャ操作部２０のキャップ用舌片２２に嵌合することで、可動部１２を組み立てる。
【００２８】
更に、フランジ３２の係止用突起３８をねじ取付部４０の矩形孔４１に係合し、フランジ３２をねじ取付部４０に固定する。そして、復帰コイルバネ３１をねじ取付部４０の環状リブ４５の上面に係止した状態で、組み立てた可動部１２を復帰コイルバネ３１、フランジ３２、およびねじ取付部４０の内側に挿通する。このとき、復帰コイルバネ３１が、環状リブ４５の上面とプランジャ操作部２０の環状突起２４との間で圧縮されているので、可動部１２は復帰コイルバネ３１の弾性力により上方に付勢される。また、プランジャ操作部２０の爪部２５がねじ取付部４０の抜け止め用切欠き部４５ａに弾性変形して係止することにより、可動部１２をねじ取付部４０から抜け止めする。
【００２９】
更に、図６（Ａ）に示すように、フランジ３２をパネル１５の孔１６に挿入し、孔１６の上面縁部とフランジ３２の上端縁部３９とを当接させる。そして、係止用舌片５６が雄ねじ４３の平面部４４を通過し、かつ、上側溝３６と係止するように、回り止め金具５５をねじ取付部４０に下方から外挿し、パネル１５と当接させる。係止用舌片５６が上側溝３６と係止することで、回り止め金具５５が回り止めされる。そして、ねじ取付部４０の下方から、リング取付部５０の雌ねじ５１を雄ねじ４３に螺合させることで、パネル１５をフランジ３２の上端縁部３９と回り止め金具５５との間で締め付ける。これにより、パネル１５への操作部１１の取り付けが完了する。
【００３０】
次に、スイッチ部６０を組み立てるため、内蔵スイッチ８１の固定接点端子８３を基板８８の接続孔９０に上方から接続し、コネクタ８５のコネクタ端子８７を基板８８の貫通孔９１内に下方から挿通する。そして、この基板８８をスイッチカバー６１に収容する。最後に、カバー本体７２の解除レバー７４を案内溝６４に下方から案内し、係止突起７９をカバー取付け孔６８に係止することで、スイッチカバー６１にカバー本体７２を装着し、スイッチ部６０が完成する。
【００３１】
そして、前記操作部１１にスイッチ部６０を連結するため、スイッチ部６０の案内溝６４をパネル１５に取り付けられたねじ取付部４０の連結部４６に位置決めし、案内用傾斜面６６を連結用傾斜面４８に摺接する。更に、案内溝６４に連結部４６を差し込むことで、連結孔４７が連結用リブ６５を乗り越え、係合面６７に係止する。これにより、連結孔４７と連結用リブ６５とが係合し、スイッチ部６０の操作部１１への組み付けが完了する。これを繰り返すことで、図７（Ａ）および図７（Ｂ）に示すように、操作スイッチ１０をパネル１５に密集させて取り付けることができる。
【００３２】
操作部１１からスイッチ部６０を分離するためには、図６（Ｂ）中矢印Ａに示すように、解除レバー７４の押圧部７７を内方に押圧する。これにより、解除レバー７４は弾性腕部７３が撓むことで弾性腕部７３の基部を中心に回動し、解除面７６が矢印Ｂに示すように外方に移動する。これにより、連結部４６が解除面７６により矢印Ｂ方向に押圧され、連結孔４７と係合面６７との係止状態を解除し、操作部１１からスイッチ部６０を切り離すことができる。このように、操作スイッチ１０がパネル１５に密集して配置されても、スイッチ部６０の外端部からスイッチ部６０の解除レバー７４を操作することにより、容易に操作部１１からスイッチ部６０を分離できる。また、操作スイッチ１０をパネル１５に密集して配置しても、スイッチ部６０の抜き取り方向に空間があれば、解除レバー７４の押圧部７７を操作して操作部１１からスイッチ部６０を分離できる。
【００３３】
本発明は、前記第１実施形態に限定されず、種々の変形が可能である。
前記実施形態では、ねじ取付部４０に連結孔４７を有する連結部４６を設ける一方、案内溝６４に連結用リブ６５を設けたが、これに限定されない。例えば、図８（Ａ）に示す第１変形例のように、ねじ取付部４０の連結部４６に内方に突出する連結用リブ９４を設ける一方、案内溝６４に連結孔９５を設けても同様の効果を得ることができる。
【００３４】
また、前記第１実施形態では、解除レバー７４の押圧部７７がカバー本体７２よりも下方に突出しているが、これに限定されない。例えば、図８（Ｂ）に示す第２変形例のように、押圧部７７がカバー本体７２よりもスイッチ部６０の脱着方向に垂直に突出する構成を採用してもよい。これにより、操作スイッチ１０をパネル１５に一列に配置しても、スイッチ部６０の脱着方向と直交する方向に空間があれば、解除レバー７４の押圧部７７を操作し、操作部１１からスイッチ部６０を分離できる。
【００３５】
第２実施形態は、図９ないし図１３に示すように、ねじ取付部４０の下端に設けられた連結部４６に外方に突出する連結用リブ１００を設ける一方、スイッチカバー６１の案内溝６４に解除レバー１０４を設けたものである。連結用リブ１００の上端には連結部４６から直角に立ち上がる係合面１０１が形成されている（図１３（Ａ）参照）。連結用リブ１００の下端には、下方に向かって薄くなるように案内用傾斜面１０２が設けられている。解除レバー１０４の上端には連結用リブ１００と係止する連結孔１０５が形成されている。解除レバー１０４の下端には、案内溝６４からスイッチ部６０の脱着方向と直交する方向に突出すると共に、脱着方向にも突出している押圧部１０６が設けられている。この押圧部１０６は、案内溝６４から下方に向かっても突出している。また、押圧部１０６は上方に向かって薄くなるように傾斜している。解除レバー１０４は、図１３（Ａ）に示すように、スイッチカバー６１の案内溝６４に弾性腕部１０９を介して一体に設けられている。弾性腕部１０９は、案内溝６４から鋭角をなし、解除レバー１０４の連結孔１０５と押圧部１０６との間に向かって上方に延在している。
他は前述の第１実施形態と同様であるので、同一部分に同一符号を付して説明を省略する。
【００３６】
そして、スイッチ部６０を操作部１１に連結するため、スイッチ部６０の解除レバー１０４をパネル１５に取り付けられたねじ取付部４０の連結部４６に位置決めし、解除レバー１０４の先端を案内用傾斜面１０２に摺接する。更に、解除レバー１０４を連結部４６に差し込むことで、連結孔１０５が連結用リブ１００を乗り越え、係合面１０１に係止する。これにより、連結孔１０５と連結用リブ１００とが係合し、スイッチ部６０の操作部１１への組み付けが完了する。
【００３７】
操作部１１からスイッチ部６０を切り離すためには、図１３（Ｂ）に示すように、解除レバー１０４の押圧部１０６を矢印Ａ方向に押圧する。これにより、解除レバー１０４は弾性腕部１０９が撓むことで弾性腕部１０９の基部を中心に回動し、連結孔１０５が矢印Ｂに示すように外方に移動する。これにより、連結孔１０５と連結用リブ１００との係止が解除され、操作部１１からスイッチ部６０を切り離すことができる。このように、操作スイッチ１０をパネル１５に密集して配置しても、スイッチ部６０の脱着方向と直交する方向に空間があれば、解除レバー１０４の押圧部１０６を押圧して操作部１１からスイッチ部６０を分離できる。また、押圧部１０６を押圧することで、より直接的に押圧力を連結孔１０５に伝達し、連結孔１０５が連結部４６から離間して確実に操作部１１とスイッチ部６０との係止を解除できる。
【００３８】
本発明は、前記第２実施形態に限定されず、種々の変形が可能である。
前記実施形態では、ねじ取付部４０の連結部４６に外方に突出する連結用リブ１００を設ける一方、解除レバー１０４に連結孔１０５を設けたが、これに限定されない。例えば、図１４に示す変形例のように、ねじ取付部４０の連結部４６に連結孔１０５を設ける一方、解除レバー１０４に内方に突出する連結用リブ１００を設けても同様の効果を得ることができる。
【産業上の利用可能性】
【００３９】
本発明に係る解除レバーは、スイッチ部６０の脱着方向に突出し、および／または脱着方向に直交する方向に突出しているが、スイッチ部６０の外端部から操作可能であれば、突出していない構成を採用してもよい。また、前記実施形態では、一対の連結部４６、連結用リブ６５、または連結孔１０５をそれぞれ設けたが、これに限定されず、少なくとも１つの連結部４６、連結用リブ６５、または連結孔１０５を設けてもよい。
【符号の説明】
【００４０】
１０  操作スイッチ
１１  操作部
１５  パネル
４６  連結部（係止部）
４７  連結孔
４８  連結用傾斜面
６０  スイッチ部
６５  連結用リブ（係止受け部）
６６，１０２  案内用傾斜面
６７，１０１  係合面
７２  カバー本体
７３，１０９  弾性腕部
７４，１０４  解除レバー
７６  解除面
１０５  連結孔（係止受け部）
７７，１０６  押圧部